(57)【要約】【課題】撮像装置の例えば携行時における誤操作を防止する。【解決手段】ヒンジ部４に対して第１筐体２と第２筐体３とを１８０°の角度範囲で回動可能に支持する。ヒンジ部４にはシャッタキー１９を配設する。シャッタキー１９は、第１筐体２の第１面２ａと第２筐体３の第１面３ａとが対設した状態においてデジタルカメラ１の表面側に露出する。この状態においてデジタルカメラ１の電源がオンになりシャッタキー１９が操作可能となる。【選択図】    図１
2004254222.tif 000002
【特許請求の範囲】
【請求項１】
一面に少なくとも撮像レンズを設けた第１の薄板状筐体と、
一面に少なくとも液晶表示部を設けた第２の薄板状筐体と、
前記第１の薄板状筐体を回動可能に支持する第１の回動軸、前記第２の薄板状筐体を回動可能に支持する第２の回動軸、および前記第１の回動軸と前記第２の回動軸を介在して前記第１の薄板状筐体と第２の薄板状筐体を回動させ、前記第１の薄板状筐体の撮像レンズを設けていない面と前記第２の薄板状筐体の液晶表示部を設けていない面とを対接させた状態にある場合に装置の表面側に露出する操作キーを設けたヒンジ部と
を具備したことを特徴とする撮像装置。
【請求項２】
さらに、前記第１の薄板状筐体の撮像レンズを設けていない面と前記第２の薄板状筐体の液晶表示部を設けていない面とを対接させた状態にある場合にこれを検出する検出手段と、
この検出手段による検出結果に従って装置の電源を投入する電源投入手段と
を具備したことを特徴とする請求項１に記載の撮像装置。
【請求項３】
前記ヒンジ部の操作キーは、撮像を決定するシャッタキーであることを特徴とする請求項１に記載の撮像装置。
【請求項４】
一面に少なくとも撮像レンズを設けた第１の薄板状筐体と、
一面に少なくとも液晶表示部を設けた第２の薄板状筐体と、
前記第１の薄板状筐体を回動可能に支持する第１の回動軸、前記第２の薄板状筐体を回動可能に支持する第２の回動軸、および前記第１の回動軸と前記第２の回動軸を介在して前記第１の薄板状筐体と第２の薄板状筐体を回動させるヒンジ部とからなり、
前記第１の薄板状筐体の撮像レンズを設けた面と前記第２の薄板状筐体の液晶表示部を設けた面とを対接させた状態にある場合に装置の表面に全ての操作キーが突出しないようにしたことを特徴とする撮像装置。
【発明の詳細な説明】
【０００１】
【発明の属する技術分野】
本発明は、例えばデジタルスチルカメラなどの撮像装置に関する。
【０００２】
【従来の技術】
近時、銀塩フィルムを用いたカメラに代わって、固体撮像素子による撮影で被写体の画像データを得ることが可能なデジタルスチルカメラ（以下、デジタルカメラと称する）が広く普及している。
【０００３】
このデジタルカメラには、写真レンズを設けた第１ボディ部と液晶モニタを設けた第２ボディ部とをヒンジを設けた第３ボディ部により接続した折り返し式のデジタルカメラが存在する（例えば特許文献１参照）。
【０００４】
【特許文献１】
特開２０００−９８４７０号公報
【０００５】
【発明が解決しようとする課題】
しかしながら、前記特許文献１の折り返し式のデジタルカメラのシャッタキーは、その携行時においてもデジタルカメラの表面に露出した状態である。したがって、携行時において、シャッタキーを誤操作させてしまう可能性があり、この誤操作により不必要に撮影を行なって、媒体と電力を無駄に消費してしまう不都合があった。
【０００６】
本発明は、前記課題に鑑みなされたもので、例えば携行時における誤操作を防止することが可能になる撮像装置を提供することを目的とする。
【０００７】
【課題を解決するための手段】
すなわち、本発明の請求項１に係わる発明は、一面に少なくとも撮像レンズを設けた第１の薄板状筐体と、一面に少なくとも液晶表示部を設けた第２の薄板状筐体と、前記第１の薄板状筐体を回動可能に支持する第１の回動軸、前記第２の薄板状筐体を回動可能に支持する第２の回動軸、および前記第１の回動軸と前記第２の回動軸を介在して前記第１の薄板状筐体と第２の薄板状筐体を回動させ、前記第１の薄板状筐体の撮像レンズを設けていない面と前記第２の薄板状筐体の液晶表示部を設けていない面とを対接させた状態にある場合に装置の表面側に露出する操作キーを設けたヒンジ部とを具備したことを特徴とする。
【０００８】
このような構成とすれば、第１の薄板状筐体の撮像レンズを設けていない面と第２の薄板状筐体の液晶表示部を設けていない面とを対接させた状態となった場合にのみヒンジ部の操作キーが装置の表面側に露出するので、通常の携行時には操作キーが装置の表面側に露出することなく操作キーの誤操作を防止することができる。
【０００９】
また、本発明の請求項２に係わる発明は、請求項１に記載の発明であって、さらに、前記第１の薄板状筐体の撮像レンズを設けていない面と前記第２の薄板状筐体の液晶表示部を設けていない面とを対接させた状態にある場合にこれを検出する検出手段と、この検出手段による検出結果に従って装置の電源を投入する電源投入手段とを具備したことを特徴とする。
【００１０】
このような構成とすれば、前記請求項１記載の発明の作用に加えて、第１の薄板状筐体の撮像レンズを設けていない面と第２の薄板状筐体の液晶表示部を設けていない面とを対接させた状態となった場合のみに装置の電源が投入されるので、通常の携行時には電源を切断することで操作キーの操作を無効にすることができ、操作キーの誤操作を防止することができる。
【００１１】
また、本発明の請求項３に係わる発明は、請求項１に記載の発明であって、前記ヒンジ部の操作キーは、撮像を決定するシャッタキーであることを特徴とする。
【００１２】
このような構成とすれば、前記請求項１記載の発明の作用に加えて、不必要な撮影を防止することができる。
【００１３】
また、本発明の請求項４に係わる発明は、一面に少なくとも撮像レンズを設けた第１の薄板状筐体と、一面に少なくとも液晶表示部を設けた第２の薄板状筐体と、前記第１の薄板状筐体を回動可能に支持する第１の回動軸、前記第２の薄板状筐体を回動可能に支持する第２の回動軸、および前記第１の回動軸と前記第２の回動軸を介在して前記第１の薄板状筐体と第２の薄板状筐体を回動させるヒンジ部とからなり、前記第１の薄板状筐体の撮像レンズを設けた面と前記第２の薄板状筐体の液晶表示部を設けた面とを対接させた状態にある場合に装置の表面に全ての操作キーが突出しないようにしたことを特徴とする。
【００１４】
このような構成とすれば、第１の薄板状筐体の撮像レンズを設けた面と第２の薄板状筐体の液晶表示部を設けた面とを対接させた状態にある場合に装置の表面に全ての操作キーが突出しないので、操作キーの誤操作を防止することができる。
【００１５】
【発明の実施の形態】
以下本発明を折り返し式のデジタルカメラに適用した場合の実施の一形態について図面を参照して説明する。
図１は、本発明の実施の一形態に係わるデジタルカメラ１の外観の斜視図である。同図（ａ），（ｃ）は、デジタルカメラ１を閉じた状態にある場合の外観であり、同図（ｂ）は、デジタルカメラ１が開いた状態にある場合の外観である。
デジタルカメラ１は、第１筐体２、第２筐体３およびヒンジ部４により構成される。第１筐体２および第２筐体３は、例えばステンレスなどの金属外装でなる薄板状の筐体である。
【００１６】
ヒンジ部４は、第１筐体２を図１（ａ）に示す状態から第１の回動軸５を中心に矢印Ａの示す方向に１８０°の角度範囲で回動可能に支持するとともに、第２筐体３を図１（ａ）に示す状態から第２の回動軸６を中心に矢印Ｂの示す方向に１８０°の角度範囲で回動可能に支持する。また、ヒンジ部４は、第１筐体２を図１（ｃ）に示す状態から第１の回動軸５を中心に矢印Ａ´の示す方向に１８０°の角度範囲で回動可能に支持するとともに、第２筐体３を図１（ｃ）に示す状態から第２の回動軸６を中心に矢印Ｂ´の示す方向に１８０°の角度範囲で回動可能に支持する。なお、第１筐体２および第２筐体３の回動する角度範囲は前記１８０°以上であれば特に限定されるものではない。
【００１７】
通常の携行時等、画像の撮影、再生を行なわない状態では、ヒンジ部４を介在して第１筐体２と第２筐体３とを回動させることにより、図１（ａ）に示すように、第１筐体２の第２面２ｂと第２筐体３の第２面３ｂとを互いに間隔を空けずに対接させる。この状態では操作ダイアル１５、モードキー１６、決定キー１８、シャッタキー１９の各種操作キーは、デジタルカメラ１の表面に全て突出しないようになっている。
【００１８】
また、画像の撮影、再生を行なう場合には、第１筐体２と第２筐体３とを回動させることにより、図１（ｂ）の状態を経て、図１（ｃ）に示すように、第１筐体２の第１面２ａと第２筐体３の第１面３ａとを互いに間隔を空けずに対接させる。
【００１９】
ヒンジ部４には、シャッタキー１９が配設される。このシャッタキー１９は、デジタルカメラ１が図１（ｃ）に示す撮影、再生の状態にある場合に、デジタルカメラ１の表面側に露出するように配接される。
【００２０】
図２は、デジタルカメラ１の第１筐体２、第２筐体３およびヒンジ部４を図１の矢印Ｃの方向からみた図である。なお、図２では、説明のためにヒンジ部４と第１筐体２および第２筐体３に間隔を設けて図示しているが、実際にはヒンジ部４と第１筐体２および第２筐体３は当接される。
【００２１】
図３は、デジタルカメラ１の第１筐体２および第２筐体３およびヒンジ部４を図２のＤ−Ｄ線に沿って切断した場合の断面図である。
図２に示すように、ヒンジ部４の側面４ａの２箇所に半球状の凹部７ａおよび凹部７ｂを穿設する。凹部７ｂ内には、検出スイッチ８が配設される。この検出スイッチ８の機能については後述する。
【００２２】
また、図２に示すように、第１筐体２の側面２ｃおよび第２筐体３の側面３ｃに対して穴９を穿設する。穴９内には、ばね付き球１０が配設される。このばね付き球１０は、ばねの付勢により、デジタルカメラ１が図１（ａ）に示す状態にある場合にはヒンジ部４の側面４ａに形成された凹部７ａ内に挿入される。また、ばね付き球１０は、デジタルカメラ１が図１（ｃ）に示す状態にある場合には凹部７ｂ内に挿入される。ばね付き球１０が凹部７ｂに挿入された場合にはこの凸部７ｂ内に設けられた検出スイッチ８が押下される。
【００２３】
ばね付き球１０が凹部７ａまたは凹部７ｂに挿入されると、第１筐体２および第２筐体３は、ばね付き球１０の付勢に伴なうクリック感によりヒンジ部４に仮固定される。図１（ａ）に示す状態で仮固定された第１筐体２は、矢印Ａが示す方向に外力を加えることで仮固定の状態を解除される。図１（ａ）に示す状態で仮固定された第２筐体３は、矢印Ｂが示す方向に外力を加えることで仮固定の状態を解除される。また、図１（ｃ）に示す状態で仮固定された第１筐体２は、矢印Ａ´が示す方向に外力を加えることで仮固定の状態を解除される。図１（ｃ）に示す状態で仮固定された第２筐体３は、矢印Ｂ´が示す方向に外力を加えることで仮固定の状態を解除される。つまり、デジタルカメラ１が図１（ａ）に示す状態および図１（ｃ）に示す状態にある場合には、外力を加えない限り、ヒンジ部４を介在して第１筐体２および第２筐体３が仮固定される。
【００２４】
前記図１（ｂ），（ｃ）に示すように、第１筐体２の第２面２ｂには、レンズ鏡筒１１、ストロボ発光部１２およびセルフタイマランプ１３が配設されている。
【００２５】
第２筐体３の第２面３ｂには、モニタ表示部１４、操作ダイアル１５およびモードキー１６が配設されるとともに、鏡筒穴１７が穿設されている。また、回転操作を行なう操作ダイアル１５の中心部には、押圧操作する決定キー１８が配設される。
【００２６】
撮影時には、図１（ｃ）に示すように、第１筐体２の第１面２ａと第２筐体３の第１面３ａとを対接させた状態にする。以下、この状態を撮影状態と呼ぶ。  また、前記撮影時以外、つまり通常の携行時等、撮影、再生を行なわない場合では、図１（ａ）に示すように、第１筐体２の第２面２ｂと第２筐体３の第２面３ｂとを対接させた状態にする。以下、この状態を携行状態と呼ぶ。
【００２７】
既に説明した検出スイッチ８は、前記撮影状態となったか否かを検出するために設けられたもので、図１（ａ）の携行状態から図１（ｃ）の撮影状態となった場合にオンとなる。
【００２８】
デジタルカメラ１が撮影状態に遷移して検出スイッチ８がオンとなると、デジタルカメラ１の電源を投入する。これにより、シャッタキー１９、操作ダイアル１５およびモードキー１６が操作可能になる。
【００２９】
一方、デジタルカメラ１が、図１（ｃ）に示す撮影状態にない場合には、検出スイッチ８がオフとなることで、自動的にこのデジタルカメラ１の電源が切断される。なお、本実施の形態では、第１筐体２および第２筐体３とを回動させて検出スイッチ８のオン／オフが切り替わるのにしたがって、デジタルカメラ１の電源を投入および切断する形態としたが、これに限らず第１筐体２および第２筐体３とを回動させて該電源を投入および切断する形態であれば、検出スイッチ８の構造等を限定するものではない。
【００３０】
また、図１（ｂ）に示す状態でも電源をオンするようにしてもよい。こうすることで、後述する撮影モードの時は自分を撮影することができ、再生モードの時は画像を見ることができる。さらに、操作ダイアル１５などの操作キーに強制的に電源をオン／オフできるような機能を設けてもよいし、図１（ｂ）、図１（ｃ）に示す状態に限らず例えば図１（ａ）の第１筐体２が矢印Ａの示す方向に９０°回動した状態でも電源をオンするようにしてもよい。
【００３１】
第２筐体３の第２面３ｂに設けられた鏡筒穴１７は、デジタルカメラ１の携行状態において第１筐体２の第２面２ｂに設けられたレンズ鏡筒１１を収める。
【００３２】
デジタルカメラ１は、基本モードとして撮影モードと再生モードを切り替えて使用する。撮影モードでは、被写体を撮影してデジタルデータとして記録し、一方の再生モードでは、撮影モードで記録した被写体のデジタルデータを再生する。撮影モードおよび再生モードは、第２筐体３のモードキー１６を押下して切り替える。
【００３３】
モニタ表示部１４は、撮影モードでは、その時点で撮像している内容をモニタリングするためのファインダとして機能する一方で、再生モードでは、記録されている画像データを再生表示する。操作ダイアル１５は、回転操作により撮影モードおよび再生モードにおける各種項目の選択を行なう。この操作ダイアル１５の中心に位置する決定キー１８は、操作ダイアル１５により選択した内容を押圧操作により決定する。
【００３４】
撮影モードにおいて、シャッタキー１９は、２段階のストロークで動作し、一般的に「半押し」と表現されている第１段階の操作状態で、ＡＦ（自動焦点）、ＡＥ（自動露出）処理を始めとする撮影の準備を行い、一般的に「全押し」と表現されている、より強く押圧操作した第２段階の操作状態で撮影を実行するものとする。また、ＡＦ（自動焦点）機能を持たない“パンフォーカス（固定焦点）カメラ”の場合は一般的に１段階の操作であり、「全押し」だけである。
【００３５】
次に図４により前記デジタルカメラ１に内蔵される電子回路の構成について説明する。
このデジタルカメラ１において、第１筐体２には、既に説明したストロボ発光部１２の他に、モータ（Ｍ）２１、レンズ光学部２２、ＣＣＤ２３、タイミング発生器（ＴＧ）２４、垂直ドライバ２５、サンプルホールド回路（Ｓ／Ｈ）２６、Ａ／Ｄ変換器（Ａ／Ｄ）２７、カラープロセス回路２８およびストロボ制御部３９が設けられる。
【００３６】
また、第２筐体３には、既に説明した、モニタ表示部１４、操作ダイアル１５およびモードキー１６の他に、制御部２９、電源制御部３０、ＤＭＡ（Ｄｉｒｅｃｔ  Ｍｅｍｏｒｙ  Ａｃｃｅｓｓ）コントローラ３１、ＤＲＡＭインタフェース（Ｉ／Ｆ）３２、ＤＲＡＭ３３、ＶＲＡＭ３４、ＶＲＡＭコントローラ３５、デジタルビデオエンコーダ３６、フラッシュメモリ３７、およびＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３８が設けられる。フラッシュメモリ３７はデジタルカメラ１に内蔵のメモリ、または着脱可能なメモリカードであってもよいし、両方を備えていてもよい。
【００３７】
電源制御部３０は、検出スイッチ８がオン状態である場合にこれを検知して制御部２９その他の全回路に電源を供給する。
【００３８】
デジタルカメラ１の撮影モードでのモニタリング状態においては、モータ２１の駆動により絞り位置が移動されるレンズ光学部２２の撮影光軸後方に配置された固体撮像素子であるＣＣＤ２３が、タイミング発生器２４、垂直ドライバ２５により走査駆動され、一定周期毎に結像した光像に対応する光電変換出力を１フレーム分出力する。
【００３９】
この光電変換出力は、アナログ値の信号の状態でＲＧＢの各原色成分毎に適宣ゲイン調整された後に、サンプルホールド回路２６でサンプルホールドされ、Ａ／Ｄ変換器２７で、デジタルデータに変換されてカラープロセス回路２８へ出力される。
【００４０】
前記カラープロセス回路２８は、Ａ／Ｄ変換器２７から送られてくる画像のデジタルデータに対する画像補間処理およびγ補正処理を含むカラープロセス処理を行ない、デジタル値の輝度信号Ｙおよび色差信号Ｃｂ，Ｃｒを生成してＤＭＡコントローラ３１に出力する。
【００４１】
ＤＭＡコントローラ３１は、カラープロセス回路２８の出力する輝度信号Ｙおよび色差信号Ｃｂ，Ｃｒを、同じくカラープロセス回路２８からの複合同期信号、メモリ書込みイネーブル信号、及びクロック信号を用いて一度ＤＭＡコントローラ３１内部のバッファに書込み、ＤＲＡＭインタフェース３２を介してバッファメモリとして使用されるＤＲＡＭ３３にＤＭＡ転送出力する。
【００４２】
制御部２９は、前記輝度および色差信号のＤＲＡＭ３３へのＤＭＡ転送出力後に、この輝度及び色差信号をＤＲＡＭインタフェース３２を介してＤＲＡＭ３３より読出し、ＶＲＡＭコントローラ３５を介してＶＲＡＭ３４に書込む。
【００４３】
デジタルビデオエンコーダ３６は、前記輝度信号及び色差信号をＶＲＡＭコントローラ３５を介してＶＲＡＭ３４より定期的に読出し、これらのデータを元にビデオ信号を発生してモニタ表示部１４に出力する。
【００４４】
モニタ表示部１４は、例えばバックライト付きのカラー液晶表示パネルとその駆動回路とで構成され、撮影モード時には電子ファインダとして機能するもので、デジタルビデオエンコーダ３６からのビデオ信号に基づいた表示を行なうことで、その時点でＶＲＡＭコントローラ３５から取込んでいる画像情報に基づく画像を表示する。
【００４５】
このようにモニタ表示部１４にその時点での画像をモニタ画像としてリアルタイムに表示させている状態で、静止画撮影を行ないたいタイミングでヒンジ部４のシャッタキー１９を押下すると、トリガ信号を発生する。
【００４６】
制御部２９は、このトリガ信号に応じてその時点でＣＣＤ２３から取込んでいる１フレーム分の輝度及び色差信号のＤＲＡＭ３３へのＤＭＡ転送の処理後、直ちにＣＣＤ２３からＤＲＡＭ３３への経路を停止し、記録保存の状態に遷移する。
【００４７】
この記録保存の状態では、制御部２９がＤＲＡＭ３３に書込まれている１フレーム分の輝度及び色差信号を、ＤＲＡＭインタフェース３２を介してＹ，Ｃｂ，Ｃｒの各コンポーネント毎に縦８画素×横８画素の基本ブロックと呼称される単位で読出してＪＰＥＧ回路３８に書込み、このＪＰＥＧ回路３８でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４８】
そして、得た符号データを１フレームのデータファイルとして該ＪＰＥＧ回路３８から読出し、このデジタルカメラ１の記録媒体として装着された、不揮発性メモリであるフラッシュメモリ３７に書込む。そして、１フレーム分の輝度及び色差信号の圧縮処理及びフラッシュメモリ３７への全圧縮データの書込み終了に伴って、制御部２９はＣＣＤ２３からＤＲＡＭ３３への経路を再び起動する。
【００４９】
なお、ストロボ制御部３９は、撮影時に例えばキセノン管でなるストロボ発光部１２を閃光駆動させる。
【００５０】
次に前記実施の形態の動作について説明する。
図５および図６は、制御部２９が実行する処理内容を示すフローチャートである。
ここで、当初デジタルカメラ１の状態は図１（ａ）に示した携行状態であるとする。そして、第１筐体２を矢印Ａが示す方向に回動させ、且つ第２筐体３を矢印Ｂが示す方向に回動させて、図１（ｃ）に示す撮影状態にする。すると、ヒンジ部４の検出スイッチ８がともにオンになる。検出スイッチ８がオンになると、電源制御部３０が動作し、デジタルカメラ１の電源を投入する。
【００５１】
電源が投入されると、自動的に撮影モードが起動する（ステップＳ１→Ｓ２）。撮影モードが起動すると、ＣＣＤ２３で画像を撮像し、この撮像した画像をそのままバッファメモリであるＤＲＡＭ３３に保持し、モニタ表示部１４で表示させるモニタリング状態を維持しながら、ヒンジ部４のシャッタキー１９が半押し操作されたか否か（ステップＳ３）、モードキー１６が押下されたか否か（ステップＳ９）、検出スイッチ８の検出により電源がオフしたか否か（ステップＳ１０）を繰り返し判断することで、該シャッタキー１９が半押し操作されるか、モードキー１６が操作されるか、電源がオフするのを待機する。
【００５２】
シャッタキー１９が半押し操作されると、ステップＳ３でこれを判断し、ＡＦ、ＡＥ処理を実行してそのＡＦ、ＡＥ値をロックした後に（ステップＳ４）、続いてシャッタキー１９が全押しされたか否か（ステップＳ５）、まだ、シャッタキー１９の半押し状態が維持されているか否か（ステップＳ６）を繰り返し判断することで、ＡＦ、ＡＥの状態をロックしながらシャッタキー１９が全押し操作されるのを待機する。
【００５３】
ここで、シャッタキー１９が全押し操作された場合には、ステップＳ５でこれを判断し、ロックしているＡＦ、ＡＥの値に基づいて撮影処理を実行する（ステップＳ７）。
【００５４】
そして、撮影により得た画像データをＪＰＥＧ回路にてデータ圧縮した上で記録媒体であるフラッシュメモリ３７に記録設定し（ステップＳ８）、以上で一連の撮影に関する処理を一旦終了し、次の撮影に備えるべく、再び前記ステップＳ３からの処理に戻る。
【００５５】
また、前記ステップＳ６でシャッタキー１９の半押し操作が解除されたと判断した場合には、上記ステップＳ３からの処理に戻る。
上記ステップＳ９で、モードキー１６が押下されたと判断した場合、撮影モードから再生モードに切り替わる。この再生モード当初には、フラッシュメモリ３７に記録されている画像データのうち最新の画像データを選択する（ステップＳ１１）。次に、この選択した画像データをフラッシュメモリ３７から読出し、モニタ表示部１４に表示させる（ステップＳ１２）。
【００５６】
画像データがモニタ表示部１４に表示されると、第２筐体３の操作ダイアル１５の操作により他の画像を選択するための操作がなされたか否か（ステップＳ１３）、モードキー１６が押下されたか否か（ステップＳ１５）、電源がオフしたか否か（ステップＳ１６）を繰り返し判断して、これらの状態になるのを待機する。
【００５７】
ステップＳ１３で操作ダイアル１５の操作により他の画像が選択された場合、フラッシュメモリ３７に記録されている画像データの中から操作ダイアル１５の操作に対応して表示させたい画像データを選択し（ステップＳ１４）、前記ステップＳ１２に戻ってこの選択決定した画像データをモニタ表示部１４に表示させる。
【００５８】
また、ステップＳ１５でモードキー１６が押下されたと判断した場合、ステップＳ２に戻って撮影モードを起動する。また、前記ステップＳ１６で電源がオフされたと判断すると、前記ステップＳ１に戻り、新たに電源がオンされるのを待機する。
【００５９】
以上、詳述した実施の形態において説明したデジタルカメラ１によれば、ヒンジ部４に配設されたシャッタキー１９は、携行状態においてデジタルカメラ１の表面側に露出せず、且つ、撮影状態以外では電源が投入されないために操作ができない。したがってフラッシュメモリ３７と電力とを不必要に消費してしまうのを確実に防止出来る。
【００６０】
なお、ヒンジ部４に配設するシャッタキー１９は、その他の操作キーであっても差し支えなく、該操作キーは携行状態においてデジタルカメラ１の表面側に露出しないので、撮影状態以外におけるデジタルカメラ１の誤操作を防止することができる。これにより、電池電源により電力容量が制限されているデジタルカメラ１で無駄な電力消費を回避できる。
【００６１】
なお、前記実施の形態は、本発明をデジタルカメラに適用した場合について説明したものであるが、本発明はこれに限らず、２つの筐体をヒンジ部で接続し、折り返して使用するような構造のものであれば、ビデオムービーカメラ、カメラ付き携帯電話等にも適用可能であることは勿論である。
【００６２】
その他、本発明は前記実施の形態に限らず、その要旨を逸脱しない範囲で種々に変形して実施することが可能であるとする。
【００６３】
さらに、前記実施の形態には種々の段階の発明が含まれており、開示される複数の構成要件における適宣な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００６４】
【発明の効果】
請求項１記載の発明によれば、第１の薄板状筐体の撮像レンズを設けていない面と第２の薄板状筐体の液晶表示部を設けていない面とを対接させた状態となった場合にのみヒンジ部の操作キーが装置の表面側に露出する。したがって、通常の携行時には操作キーが装置の表面側に露出することなく操作キーの誤操作を防止することができる。
【００６５】
また、請求項２記載の発明によれば、前記請求項１記載の発明の効果に加えて、第１の薄板状筐体の撮像レンズを設けていない面と第２の薄板状筐体の液晶表示部を設けていない面とを対接させた状態となった場合のみに装置の電源が投入され、通常の携行時には電源を切断することで操作キーの操作を無効にすることができる。したがって操作キーの誤操作を防止することができる。
【００６６】
また、請求項３記載の発明によれば、前記請求項１記載の発明の効果に加えて、不必要な撮影を防止することができる。
【００６７】
また、請求項４記載の発明によれば、第１の薄板状筐体の撮像レンズを設けた面と第２の薄板状筐体の液晶表示部を設けた面とを対接させた状態にある場合に装置の表面に全ての操作キーが突出しない。したがって操作キーの誤操作を防止することができる。
【図面の簡単な説明】
【図１】本発明の実施の形態に係わるデジタルカメラの外観の斜視図。
【図２】同実施の形態に係わるデジタルカメラの第１筐体、第２筐体およびヒンジ部を図１の矢印Ｃの方向からみた図。
【図３】同実施の形態に係わるデジタルカメラの第１筐体および第２筐体およびヒンジ部を図２のＤ−Ｄ線で切断した場合の断面図。
【図４】同実施の形態に係るデジタルカメラの回路構成を示すブロック図。
【図５】同実施の形態に係るデジタルカメラの撮影モードおよび再生モードの処理内容を示すフローチャート。
【図６】同実施の形態に係るデジタルカメラの撮影モードおよび再生モードの処理内容を示すフローチャート。
【符号の説明】
１・・デジタルカメラ、２・・第１筐体、２ａ・・第１筐体第１面、２ｂ・・第１筐体第２面、２ｃ・・第１筐体側面、３・・第２筐体、３ａ・・第２筐体第１面、３ｂ・・第２筐体第２面、３ｃ・・・第２筐体側面、４・・ヒンジ部、４ａ・・・ヒンジ部側面、５・・第１の回動軸、６・・第２の回動軸、７ａ，７ｂ・・凹部、８・・検出スイッチ、９・・穴、１０・・ばね付き球、１１・・レンズ鏡筒、１２・・ストロボ発光部、１３・・セルフタイマランプ、１４・・モニタ表示部、１５・・操作ダイアル、１６・・モードキー、１７・・鏡筒穴、１８・・決定キー、１９・・シャッタキー、２１・・モータ、２２・・レンズ光学部、２３・・ＣＣＤ、２４・・タイミング発生器（ＴＧ）、２５・・垂直ドライバ、２６・・サンプルホールド回路（Ｓ／Ｈ）、２７・・Ａ／Ｄ変換器、２８・・カラープロセス回路、２９・・制御部、３０・・電源制御部、３１・・ＤＭＡコントローラ、３２・・ＤＲＡＭインタフェース、３３・・ＤＲＡＭ、３４・・ＶＲＡＭ、３５・・ＶＲＡＭコントローラ、３６・・デジタルビデオエンコーダ、３７・・フラッシュメモリ、３８・・ＪＰＥＧ回路、３９・・ストロボ制御部。
【図１】
2004254222.tif 000003
【図２】
2004254222.tif 000004
【図３】
2004254222.tif 000005
【図４】
2004254222.tif 000006
【図５】
2004254222.tif 000007
【図６】
2004254222.tif 000008